(57)【要約】【課題】簡単な構成にてセキュリティ情報検出用素子を装着し得る様に構成する事を目的とする。【解決手段】下ユニット５の後部に上ユニット１４を開閉自在に枢支し、下ユニットと上ユニットに磁気カードを搬送する搬送機構や磁気カードに磁気データを記録及び記録された磁気データを読み出す記録再生機構を内蔵したものにおいて、下ユニットを構成する板金製の下フレーム６に、上ユニットを構成する板金製の上フレーム１７の側面適所に当接する支持アーム２４を切起し形成し、この切起しにより形成される切欠き溝２６に識別信号検出センサ２７を装着して成るものである。【選択図】    図１
2004152106.tif 000002
【特許請求の範囲】
【請求項１】
下ユニットの後部に上ユニットを開閉自在に枢支すると共に、上記下ユニットと上ユニットに磁気カードを搬送する搬送機構や、上記磁気カードに磁気データを記録及び記録された磁気データを読み出す記録再生機構を内蔵したものにおいて、上記下ユニットを構成する板金製の下フレームに、上記上ユニットを構成する板金製の上フレームの側面適所に当接する支持アームを切起し形成すると共に、この切起しにより形成される切欠き溝に識別信号検出センサを装着した事を特徴とする磁気カードリーダ。
【請求項２】
上記識別信号検出センサを、上記カードを挟んで上下に配置した光半導体素子と受光素子で構成した事を特徴とする、上記請求項１に記載の磁気カードリーダ。
【請求項３】
上記光半導体素子及び受光素子を各々収納支持する収容溝を一体形成した支持ホルダを設け、この支持ホルダを上記切欠き溝に固定することで、上記識別信号検出センサを下ユニットに装着する様に構成した事を特徴とする、上記請求項２に記載の磁気カードリーダ。
【請求項４】
上記光半導体素子をレーザーダイオードで構成すると共に、この光半導体素子を上記支持ホルダの下部に装着した事を特徴とする、上記請求項３に記載の磁気カードリーダ。
【請求項５】
上記支持ホルダを熱伝導率の高い金属で形成すると共に、上記下フレームに直接接触状態で固定した事を特徴とする、上記請求項３〜４に記載の磁気カードリーダ。
【発明の詳細な説明】
【０００１】
【発明の属する技術分野】
本発明は、プリペイドカード等の磁気カードに磁気データを記録したり、記録されたデータを読み出す磁気カードリーダに関する。
【０００２】
【従来の技術】
プリペイドカードや銀行カード等の磁気カードでは、所謂変造や偽造を防止するための防止装置が施されているが、その中で、例えば特許文献１に示される様に、磁気カード等の記録媒体１１に、レーザー発振器３１から照射されるレーザー光を吸収或いは散乱する材料を設けると共に、この材料に照射されたレーザー光を検出する光検出器３４を設け、この光検出器の出力信号より磁気カード等の記録媒体に記録された識別情報を検出して、記録媒体の真偽を判定するものがある。
【０００３】
【特許文献１】
特許第３１８２５１８号公報
【０００４】
【発明が解決しようとする課題】
一方、上記記録媒体に記録された識別情報を検出する為のレーザー発信器や光検出器を磁気カードリーダに組み込む場合、上記レーザー発振器や光検出器を取付ける為のスペース確保や、取付け部品が必要になるという問題がある。
【０００５】
そこで本発明は、比較的簡単な構成にて、セキュリティー情報検出用素子を装着し得る様に構成する事を目的とするものである。
【０００６】
【課題を解決するための手段】
本発明は、下ユニットの後部に上ユニットを開閉自在に枢支すると共に、下ユニットと上ユニットに磁気カードを搬送する搬送機構や、磁気カードに磁気データを記録及び記録された磁気データを読み出す記録再生機構を内蔵したものにおいて、下ユニットを構成する板金製の下フレームに、上ユニットを構成する板金製の上フレームの側面適所に当接する支持アームを切起し形成すると共に、この切起しにより形成される切欠き溝に識別信号検出センサを装着したものである。
【０００７】
又本発明は、識別信号検出センサを、カードを挟んで上下に配置した光半導体素子と受光素子で構成して成るものである。
【０００８】
そして又本発明は、光半導体素子及び受光素子を各々収納支持する収容溝を一体形成した支持ホルダを設け、この支持ホルダを切欠き溝に固定することで、識別信号検出センサを下ユニットに装着する様に構成して成るものである。
【０００９】
更に本発明は、光半導体素子をレーザーダイオードで構成すると共に、この光半導体素子を支持ホルダの下部に装着して成るものである。
【００１０】
そして更に本発明は、支持ホルダを熱伝導率の高い金属で形成すると共に、下フレームに直接接触状態で固定して成るものである。
【００１１】
【発明の実施の形態】
本発明の実施例を、先ず図１に基づき説明すると、１は樹脂製の本体ケースで、下ケース２と、この下ケースの後端上部に一体形成されたヒンジ部３，３にて開閉自在に枢支された上ケース４とで構成している。
【００１２】
５は上記下ケース２内に収納装着された下ユニットで、図２にても示す様に板金を平面から見て略コ字状に折曲成形した下フレーム６と、この下フレームに回転自在に支持した複数のローラ軸７・・と、これらローラ軸に各々一体回転状態で装着された複数のローラ８・・と、上記ローラ軸の端部に一体回転状態に装着された複数の歯車９・・と、モータ１０の回転を歯車１１により減速して駆動軸１２に伝達し、この駆動軸の回転を上記複数の歯車９・・に伝達するタイミングベルト１３等で構成している。尚、上記駆動軸１２にもローラ８を装着し、ローラ軸を兼用する様に構成している。
【００１３】
１４は上記下ユニット５に、その後端部にて開閉自在に枢支された上ユニットで、上記上ケース４内に収納して装着されていると共に、上記下フレーム６の後端部に立設された左右一対のヒンジ部１５，１５にて枢支軸１６により開閉自在に支持された上フレーム１７と、この上フレームにて上記各ローラ８・・及び下フレーム６に固定された磁気ヘッド１８に各々対向位置して回転自在に枢支した複数のローラ１９・・にて主に構成し、上記磁気ヘッド１８や、この磁気ヘッドへのデータを処理する図示しない制御回路にて記録再生機構を構成している。
【００１４】
一方、上記下フレーム６の左右一対の支持フレーム６ａ，６ｂ上端部には、樹脂材にて一体成形したガイドレール２０，２１を、一方２１は固定、他方２０は左右方向に移動自在に装着し、これらガイドレールの相対向する内側部には、図示しない磁気カードの長辺部分の先端が係入して搬送するガイド溝２２，２２を一体に形成し、これらのガイドレール２０，２１、ローラ８・・，１９・・、モータ１０等にて搬送機構を構成している。
【００１５】
又、上記支持フレーム６ａ，６ｂの、上記ガイドレール２０，２１の全長に対し先端から略１／３前後の位置の上端部には、先端を略く字状に外側に向けて折り曲げて上端部を開口した弾力性を有する左右一対の支持アーム２３，２４を、切起しにより一体成形していると共に、図３にても示すこれら支持アームの切り起こしにより形成される切欠き溝２５，２６の一方２６には、図４にても示す様に、磁気カードに記録されたセキュリティー情報を検出する識別信号検出センサ２７を固定している。
【００１６】
尚、上記識別信号検出センサ２７は、例えばアルミ合金等の熱伝導率の高い金属で形成した支持ホルダ２８と、図５にても示す様に、支持ホルダ２８の上部に一体形成した収容溝２９内に収納した受光素子３０と、支持ホルダの下部に一体形成した収容溝３１内に収納した例えば近赤外域のレーザー光を放射するレーザーダイオードにて構成した光半導体素子３２とで構成し、これら素子３０，３２の間を上記ガイドレール２０，２１に案内されて磁気カードが通過する時に、磁気カードに記録されたセキュリティー情報を検出する様に構成している。
【００１７】
又、上記識別信号検出センサ２７は、上記支持フレーム６ｂの切欠き溝２６を形成した取付け面に突設した突起３３，３３が係入する図示しない溝を有し、これらの係合により位置決めされ、かつビス３４により支持ホルダ２８が支持フレーム６ｂに接触状態で固定（図２参照）される。
【００１８】
これらの構成により、下フレーム６に上フレーム１７を確実に位置決めして接合する為の支持アーム２４を形成した切欠き溝２６を利用して、セキュリティー情報検出用の識別信号検出センサ２７を固定したことで、識別信号検出センサを取付けるための専用のスペースを確保する必要がなく、比較的簡単な構成により識別信号検出センサを確実に固定する事が出来るものである。
【００１９】
又、上記識別信号検出センサを光学センサで構成したことで、磁気カードに非接触状態でセキュリティー情報の検出が行え、センサ部と磁気カードとの接触による搬送抵抗の増加による搬送速度の低下やカード表面の損傷等を防止出来るものである。
【００２０】
そして又、上記識別信号検出センサを、これらを構成する受光素子３０と光半導体素子３２の収容溝２９，３１を備えた支持ホルダ２８を介して下フレーム６に固定する様に構成したことで、各素子を確実に位置決めして固定し、セキリュティー情報の検出精度を向上出来ると共に、取り付け時の作業性も向上出来るものである。
【００２１】
更に、光半導体素子３２を支持ホルダ２８の下側に装着したことで、この素子としてレーザーダイオードを用いた場合、ローラ８・・，１９・・や磁気ヘッド１８の掃除等により上フレーム１７を開いた際に、指や手等がレーザーダイオードに触れ難く、静電気によるレーザーダイオードの破損を防止する事が出来るものである。
【００２２】
そして更に、支持ホルダ２８を熱伝導率の高い金属で構成し、かつ下フレーム６に直接接触させて固定したことで、主に光半導体素子３２の動作時に発生する熱をフレーム６，１７により放熱して冷却し、温度上昇による耐久性能の低下や、温度上昇による誤動作を確実に防止する事が出来るものである。
【００２３】
一方、上記支持フレーム６ａ上端の上記ガイドレール２０周辺には、発光ダイオードと受光素子を組み合わせた複数の受発光素子３５・・を所定の間隔を置いて配置、これら受発光素子部を磁気カードが通過することで、磁気カードの搬送位置を検出する様に構成している。
【００２４】
３６，３７は、上記支持フレーム５ａ，５ｂの前端部に回転軸２４にて所定角度回転自在に枢支された鉤状の樹脂製ロック爪で、先端に一体形成した鉤溝３８，３８に上記上フレーム１７に固定した係合ピン３９，３９が係入することで、上フレーム１７を閉じた状態に下フレーム６に係合し、この時、上記支持アーム２３，２４の内面が上フレーム１７の外側面に弾接し、これにより、枢支軸１６の遊びに影響されることなく、下フレーム６と上フレーム１７を所定位置にて開閉自在に確実に接合する。
【００２５】
尚、上記ロック爪３６，３７は回転軸４０にて連動して一体回転状態に連結されていると共に、スプリング４１，４１にて上記係合ピン３９，３９が鉤溝３８，３８に係入する方向に常時付勢され、かつ一方のロック爪３７には、スプリング４１，４１の弾力に抗して係合ピン３９，３９が離脱する方向に回転操作する為のレバー部４２を一体形成している。
【００２６】
【発明の効果】
本発明の構成により、磁気カードに記録されたセキュリティー情報を検出する識別信号検出センサを、下フレームに形成した支持アームの切欠き溝を利用して装着する様に構成したことで、専用の取付けスペースを確保することなく、比較的簡単な構成にて簡単かつ確実に固定する事が出来るものである。
【００２７】
又本発明の構成により、識別信号検出センサを、磁気カードを挟んで配置した光半導体素子と受光素子の組み合わせにより構成したことで、磁気カードと非接触状態でセキュリティー情報を検出でき、センサと磁気カードとの接触による搬送抵抗の増加等を防止する事が出来るものである。
【００２８】
そして又本発明の構成により、光半導体素子と受光素子の各々の収容溝を備えた支持ホルダを介してこれらの素子を下ユニットに装着する様に構成したことで、各素子を確実に位置決めした状態にて下ユニットに固定でき、素子間の取付け誤差によるセキュリティー情報の検出ミスを防止する事が出来るものである。
【００２９】
更に本発明の構成により、光半導体素子をレーザーダイオードで構成し、かつこの光半導体素子を支持ホルダの下部に装着する様に構成したことで、メンテ等により上ユニットを開いた場合にも、指や手がレーザーダイオードに触れ難く、静電気によるレーザーダイオードの破損を防止する事が出来るものである。
【００３０】
そして更に、支持ホルダを熱伝導率の高い金属で形成して下フレームに接触状態で固定したことで、主に光半導体素子の動作時に発生する熱を下フレームを介して放熱し、素子の温度上昇による耐久性能の低下や誤動作を防止する事が出来るものである。
【図面の簡単な説明】
【図１】本発明による実施例を示す斜視図である。
【図２】同じく要部を本体ケースより取り出した状態の斜視図である。
【図３】同じく一部の部品を外した状態の要部の斜視図である。
【図４】識別信号検出センサの斜視図である。
【図５】支持ホルダの斜視図である。
【符号の説明】
５    下ユニット
６    下フレーム
１４  上ユニット
１７  上フレーム
２４  支持アーム
２７  識別信号検出センサ
２９  収容溝
３０  受光素子
３１  収容溝
３２  光半導体素子
【図１】
2004152106.tif 000003
【図２】
2004152106.tif 000004
【図３】
2004152106.tif 000005
【図４】
2004152106.tif 000006
【図５】
2004152106.tif 000007